(57)【要約】【課題】  水栓継手から滲み出す水を受けこの受けた水を外面側へと案内する新規な構造を有した給水用コンセントを提供する。【解決手段】  給水用コンセント１０は水栓取付壁１１の開口部１２に取付けられる。水栓取付壁１１の内面側にはコンセント本体１４が配置され外面側には外面部材３０が配置されそれらの間において開口部１２内には枠状をなすアジャスタ２５が挿入配置されている。コンセント本体１４は外面側が開口するボックス状に形成されその底壁１４ａには漏水案内溝２４が設けられている。アジャスタ２５の底壁部２５ａには延長案内溝２９が設けられている。漏水案内溝２４はアジャスタ２５側に突出されている。延長案内溝２９は漏水案内溝２４の突出部分が入り込むことが可能なようにコンセント本体１４側が欠かれている。漏水案内溝２４と延長案内溝２９との連通部分は開口部１２内に位置している。【選択図】  図１
2018040247.tif 000002
【特許請求の範囲】
【請求項１】
水栓取付壁の開口部に取付けられ、水栓取付壁の内面側に配置されるコンセント本体と、水栓取付壁の外面に配置される外面部材とを備え、内部に水栓継手が収容される給水用コンセントであって、
前記コンセント本体と外面部材との間には、外面部材とコンセント本体に密着するアジャスタを介在させ、
前記アジャスタは枠状に形成され、水栓取付壁の開口部に挿入されており、
前記コンセント本体は外面側が開口するボックス状に形成され、その底壁には水栓継手から滲み出す水を受ける漏水案内溝を設け、アジャスタの底壁部には漏水案内溝に連通し、水を外面側に案内する延長案内溝を設け、
前記漏水案内溝はアジャスタ側に突出されているとともに、当該突出部分が入り込むことが可能なように、延長案内溝はコンセント本体側が欠かれており、漏水案内溝と延長案内溝との連通部分は、水栓取付壁の開口部内に位置している給水用コンセント。
【請求項２】
前記延長案内溝は外面部材側に突出されており、当該突出部分の先端は水栓取付壁の開口部外に位置している請求項１に記載の給水用コンセント。
【発明の詳細な説明】
【技術分野】
【０００１】
本発明は、建物の壁面に設けられた開口部に取付けられ、例えば洗濯機、湯沸器、食洗器、浄水器等の機器の給水管へ給水するための給水用コンセントに関する。
【背景技術】
【０００２】
給水用コンセント（水道用コンセント）は、建物内における壁面の開口部に取付けられ、壁裏側（内面側）に配置される箱状のコンセント本体と、壁表側（外面側）に配置される外面部材と、前記コンセント本体と外面部材とを連結するねじ部材としてのビスとを備え、内部に水栓継手が収容されている。そして、この水栓継手に給水管が接続されるとともに、水栓継手に設けられたハンドルを操作することにより、洗濯機、湯沸器等の機器に水を供給できるようになっている。
【０００３】
この種の水道用コンセントが例えば特許文献１に開示されている。すなわち、この水道用コンセントは、前面部及び該前面部が着脱可能な固定枠よりなるハウジングと、水栓本体と、流量調整ハンドルと、継手部とを備えている。前記前面部と壁との間には、スペーサが着脱可能に設けられている。そして、前面部と壁との間にスペーサを介在させ、前面部を構成する枠体の四隅部を固定枠の四隅部に当接させた状態又は離間させた状態で、ねじにより前面部を固定枠に固定することができる。
【先行技術文献】
【特許文献】
【０００４】
【特許文献１】特開２００１−２９５３３０号公報
【発明の概要】
【発明が解決しようとする課題】
【０００５】
本発明の目的は、水栓継手から滲み出す水を受けこの受けた水を外面側へと案内する新規な構造を有した給水用コンセントを提供すること。
【課題を解決するための手段】
【０００６】
上記の目的を達成するために、請求項１に係る発明の給水用コンセントは、水栓取付壁の開口部に取付けられ、水栓取付壁の内面側に配置されるコンセント本体と、水栓取付壁の外面に配置される外面部材とを備え、内部に水栓継手が収容される給水用コンセントであって、前記コンセント本体と外面部材との間には、外面部材とコンセント本体に密着するアジャスタを介在させ、前記アジャスタは枠状に形成され、水栓取付壁の開口部に挿入されており、前記コンセント本体は外面側が開口するボックス状に形成され、その底壁には水栓継手から滲み出す水を受ける漏水案内溝を設け、アジャスタの底壁部には漏水案内溝に連通し、水を外面側に案内する延長案内溝を設け、前記漏水案内溝はアジャスタ側に突出されているとともに、当該突出部分が入り込むことが可能なように、延長案内溝はコンセント本体側が欠かれており、漏水案内溝と延長案内溝との連通部分は、水栓取付壁の開口部内に位置している。
【０００７】
また、請求項２に係る発明の給水用コンセントは、請求項１において、前記延長案内溝は外面部材側に突出されており、当該突出部分の先端は水栓取付壁の開口部外に位置している。
【発明の効果】
【０００８】
本発明の給水用コンセントは、水栓継手から滲み出す水を受けこの受けた水を外面側へと案内する新規な構造を有する。
【図面の簡単な説明】
【０００９】
【図１】実施形態における給水用コンセントを示し、水栓取付壁に取付けられる水道用コンセントを示す分解斜視図。
【図２】給水用コンセントを水栓取付壁に取付けた状態を示す断面図。
【図３】給水用コンセントを水栓取付壁に取付けた状態を示す正面図。
【図４】給水用コンセントを水栓取付壁に取付け、カバー部材を取付ける前の状態を示す正面図。
【図５】コンセント本体を示す図であって、（ａ）はその斜視図、（ｂ）はその正面図及び（ｃ）はその側面図。
【図６】アジャスタを示す図であって、（ａ）はその斜視図、（ｂ）はその正面図及び（ｃ）はその側断面図。
【図７】外面部材を示す図であって、（ａ）はその斜視図、（ｂ）はその正面図及び（ｃ）はその側面図。
【図８】（ａ）〜（ｆ）は、給水用コンセントを水栓取付壁に取付ける工程を示す図であって、（ａ）はコンセント本体を柱に固定する状態を示す斜視図、（ｂ）はコンセント本体内に水栓継手を収容する状態を示す斜視図、（ｃ）は水栓継手をコンセント本体に固定する状態を示す斜視図、（ｄ）は水栓取付壁の開口部の外方にアジャスタ、外面部材及びカバー部材を配置した状態を示す斜視図、（ｅ）はアジャスタ及び外面部材を雄ねじでコンセント本体に固定し、カバー部材を被せた状態でハンドルとストップカプラとを配置した状態を示す斜視図及び（ｆ）は水栓継手にハンドルとストップカプラとを装着した状態を示す斜視図。
【図９】アジャスタの別例を示す図であって、（ａ）はアジャスタを示す斜視図及び（ｂ）はアジャスタを示す平面図。
【発明を実施するための形態】
【００１０】
以下、本発明を具体化した実施形態を図１〜図８に従って詳細に説明する。
図１及び図２に示すように、例えば建物内の水栓取付壁１１に設けられた開口部１２には、洗濯機、湯沸器等の機器に給水するための給水用コンセント１０が取付けられる。水栓取付壁１１の内方の柱１３には、外面側が開口されたコンセント本体１４が複数本のビス５０により取付けられている。
【００１１】
図５（ａ）〜（ｃ）に示すように、前記コンセント本体１４は外面側が開口する縦長の有底四角箱状に形成され、その外面側には水栓取付壁１１の内面に当接する四角枠部１５が設けられるとともに、その四角枠部１５の外面には水栓取付壁１１の開口部１２に挿入される突出枠部１６が設けられている。該突出枠部１６の四隅には、それぞれ中心に雌ねじ１７を有する支持筒部１８が設けられている。
【００１２】
なお、コンセント本体１４の外周面には、深さ方向に平行に延びる複数の補強リブ１９が突出形成され、コンセント本体１４を補強している。また、この補強リブ１９は、四角枠部１５の外周面と同一の高さに設定されることにより、コンセント本体１４を柱１３に取付ける際に水栓取付壁１１に対して垂直な取付が可能となる。
【００１３】
図１、図５（ａ）及び（ｂ）に示すように、コンセント本体１４の底壁１４ａの中心部には、鞘管２０で被覆された樹脂管２１が挿入される円筒状の筒部２２が設けられている。樹脂管２１は図示しない給水源に接続され、水が供給されるようになっている。コンセント本体１４の底壁１４ａの筒部２２より外面側には、コンセント本体１４内に収容される水栓継手２３から滲み出す水を受ける漏水案内溝２４が設けられている。この漏水案内溝２４は中央部がわずかに低くなるように断面Ｖ字状に形成されている。また、漏水案内溝２４は外面側ほど若干低くなる傾斜状に形成されている。
【００１４】
図１及び図２に示すように、コンセント本体１４の外面側には、四角枠状に形成されたアジャスタ２５が配置されている。図１及び図６（ａ）〜（ｃ）に示すように、アジャスタ２５の四隅部には、それぞれ中心部にねじ部材としての雄ねじ２６が挿通される挿通孔２７が形成された接続筒部２８が設けられている。
【００１５】
また、アジャスタ２５の底壁部２５ａには、コンセント本体１４の漏水案内溝２４に連通し、水を外面側に案内する延長案内溝２９が設けられている。この延長案内溝２９は中央部がわずかに低くなるように断面Ｖ字状に形成されている。また、延長案内溝２９は外面側ほど若干低くなる傾斜状に形成されている。前記コンセント本体１４の漏水案内溝２４とアジャスタ２５の延長案内溝２９との接続部分は、接着剤で接合され、漏水案内溝２４と延長案内溝２９との間で水が漏れないシール構造となっている。
【００１６】
図１及び図４に示すように、水栓取付壁１１の外面側には四角板状の外面部材３０が配置され、前記アジャスタ２５を介してコンセント本体１４に雄ねじ２６により取付けられるようになっている。
【００１７】
図７（ａ）〜（ｃ）に示すように、外面部材３０の四隅部には、それぞれ中心部に貫通孔３１を有する外面側筒部３２が設けられている。該外面側筒部３２は外面部材３０の内方へ若干突出している。この外面部材３０がアジャスタ２５を介してコンセント本体１４に組付けられたとき、外面部材３０の外面側筒部３２がアジャスタ２５の接続筒部２８に当接し、その接続筒部２８がコンセント本体１４の支持筒部１８に当接するようになっている。同時に、外面部材３０の貫通孔３１がアジャスタ２５の挿通孔２７からコンセント本体１４の雌ねじ１７に連通するようになっている。
【００１８】
また、外面部材３０の上部には、支持孔３３が透設され、コンセント本体１４内に収容される水栓継手２３の外端部が突出されるように構成されている。さらに、外面部材３０の底部３０ａの中央外面部には、アジャスタ２５の延長案内溝２９に対応するように水を排出する切欠き４６が設けられている。さらに、外面部材３０の枠部３０ｂには、複数の係合孔４８が開口されている。
【００１９】
そして、図１に示すように、雄ねじ２６が外面部材３０の貫通孔３１からアジャスタ２５の挿通孔２７を通ってコンセント本体１４の雌ねじ１７に螺合され、外面部材３０がアジャスタ２５を介在してコンセント本体１４に連結されるように構成されている。
【００２０】
図２に示すように、外面部材３０がコンセント本体１４に雄ねじ２６により連結されるときには、アジャスタ２５は水栓取付壁１１の開口部１２に挿入された状態で外面部材３０とコンセント本体１４とに密着されるようになっている。このアジャスタ２５の幅は、水栓取付壁１１の厚さに対応して設定されている。
【００２１】
図１及び図２に示すように、前記コンセント本体１４内に収容される水栓継手２３のブラケット３４には一対の透孔３５が形成され、それらの透孔３５にビス３６が挿通されてコンセント本体１４のねじ孔３７に螺合され、水栓継手２３がコンセント本体１４に固定されるようになっている。水栓継手２３の一端は下方へ延びる継手部３８において、鞘管２０で被覆された架橋ポリエチレン製の樹脂管２１がワンプッシュ操作で接続されるようになっている。
【００２２】
水栓継手２３の他端は斜め上方へ延び、内部に図示しないボールバルブが設けられている。ボールバルブの図示しないニップルにはストップカプラ４０を介して給水管が接続され、洗濯機、湯沸器等の機器へ給水できるようになっている。また、ボールバルブにはスピンドルを介してハンドル３９が接続され、そのハンドル３９の回動操作により給水又は停止を行うことができるようになっている。前記水栓継手２３の下端部には皿状の水受け４１が配置され、水栓継手２３から滲み出す水を受けるようになっている。
【００２３】
図１及び図３に示すように、前記外面部材３０の外面には、外面部材３０を覆うカバー部材４３が着脱可能に配置されている。すなわち、図２に示すように、カバー部材４３の内面側には複数の係合突起４９が突設され、外面部材３０の前記係合孔４８に着脱可能に係合されている。このカバー部材４３には、水栓継手２３のストップカプラ４０とハンドル３９を装着するための第１装着部４４と第２装着部４５が開口されている。
【００２４】
次に、水栓取付壁１１に対する給水用コンセント１０の取付け工程について説明する。
図８（ａ）に示すように、まず水栓取付壁１１の内面側に位置する柱１３の側面に対してコンセント本体１４を複数のビス５０により取付ける。このとき、コンセント本体１４の四角枠部１５の外面が柱１３の外面に一致するように取付ける。
【００２５】
続いて、図８（ｂ）に示すように、コンセント本体１４の筒部２２に下方から鞘管２０で覆われた樹脂管２１を挿通するとともに、樹脂管２１の端部を水栓継手２３の継手部３８に向ける。そして、図８（ｃ）及び図２に示すように、樹脂管２１の端部を水栓継手２３の継手部３８に接続し、水栓継手２３をコンセント本体１４内に収容する。その状態で、ビス３６を水栓継手２３のブラケット３４の一対の透孔３５に挿通してコンセント本体１４のねじ孔３７に螺合することにより、水栓継手２３がコンセント本体１４に固定される。
【００２６】
次いで、図８（ｄ）に示すように、コンセント本体１４の突出枠部１６を水栓取付壁１１の開口部１２に内面側から挿入するとともに、水栓取付壁１１の外面側にアジャスタ２５、外面部材３０、４本の雄ねじ２６及びカバー部材４３を配置する。そして、図２に示すように、アジャスタ２５を水栓取付壁１１の開口部１２に挿入してコンセント本体１４の突出枠部１６に当接させる。
【００２７】
このとき、アジャスタ２５の四隅部の接続筒部２８はコンセント本体１４の四隅部の支持筒部１８に当接し、アジャスタ２５の各挿通孔２７がコンセント本体１４の各雌ねじ１７に対向する。その後、外面部材３０の枠部３０ｂを水栓取付壁１１の外面に当てるとともに、外面部材３０の四隅部の外面側筒部３２をアジャスタ２５の四隅部の接続筒部２８に当接させる。このとき、外面部材３０の貫通孔３１はアジャスタ２５の挿通孔２７に連通する。
【００２８】
その後、４本の雄ねじ２６を外面部材３０の貫通孔３１からアジャスタ２５の挿通孔２７を通してコンセント本体１４の雌ねじ１７に順次螺入して締付けることにより、外面部材３０を、アジャスタ２５を介してコンセント本体１４に固定することができる。そして、図２に示すように、外面部材３０の外面にカバー部材４３を押付け、カバー部材４３の各係合突起４９を外面部材３０の各係合孔４８に係合させ、カバー部材４３を外面部材３０に取付ける。
【００２９】
引き続いて、図８（ｅ）に示すように、カバー部材４３の第１装着部４４にストップカプラ４０を対向させるとともに、第２装着部４５にハンドル３９を対向させる。そして、図８（ｆ）に示すように、ストップカプラ４０を、第１装着部４４を介して水栓継手２３のニップルに取着するとともに、ハンドル３９を、第２装着部４５を介して水栓継手２３のスピンドルに取着することにより、給水用コンセント１０の取付けを完了する。
【００３０】
次に、上記のように構成された給水用コンセント１０の作用を説明する。
図８（ｄ）に示すように、コンセント本体１４が柱１３に取付けられ、その突出枠部１６が水栓取付壁１１の開口部１２に挿入されるとともに、コンセント本体１４内に水栓継手２３が収容され、固定された状態で、アジャスタ２５が水栓取付壁１１の外面側からその開口部１２へ挿入される。このとき、アジャスタ２５は、その四隅に位置する接続筒部２８がそれぞれコンセント本体１４の四隅に位置する支持筒部１８に当たって止まる。その後、外面部材３０の内面を水栓取付壁１１の外面に当接させると、外面部材３０の四隅に位置する外面側筒部３２がアジャスタ２５の四隅に位置する接続筒部２８に各々当接する。
【００３１】
図２に示すように、その状態で、４本の雄ねじ２６を外面部材３０の貫通孔３１からアジャスタ２５の挿通孔２７を通してコンセント本体１４の雌ねじ１７に順に螺入することにより、外面部材３０をコンセント本体１４に固定することができる。このとき、外面部材３０とコンセント本体１４との間にはアジャスタ２５が介在され、外面部材３０の四隅に位置する外面側筒部３２がアジャスタ２５の接続筒部２８にそれぞれ当接し、さらにアジャスタ２５の接続筒部２８がコンセント本体１４の支持筒部１８にそれぞれ当接している。
【００３２】
このため、雄ねじ２６を強く締付けても、その締付け力が外面部材３０だけに作用することはなく、外面部材３０からアジャスタ２５を介してコンセント本体１４に受け止められる。従って、外面部材３０に集中して異常な力が働くおそれはなく、その損傷が回避される。
【００３３】
また、前記コンセント本体１４の底壁１４ａには漏水案内溝２４が設けられ、アジャスタ２５には漏水案内溝２４に連通する延長案内溝２９が設けられ、さらに外面部材３０の底部３０ａには切欠き４６が設けられている。このため、水栓継手２３から伝って漏れ出た水は、漏水案内溝２４から延長案内溝２９を経て切欠き４６から流れ出る。
【００３４】
このとき、漏水案内溝２４と延長案内溝２９との接続部分は接着剤によってシールされており、その接続部分からの水漏れを抑えることができる。さらに、漏水案内溝２４及び延長案内溝２９は外面側ほど低い傾斜状に形成されていることから、水を外面側へ誘導することができる。従って、給水用コンセント１０の外面から目視によって漏水を簡単に視認することができる。
【００３５】
以上の実施形態によって発揮される効果について、以下にまとめて記載する。
（１）この実施形態における給水用コンセント１０では、コンセント本体１４と外面部材３０との間にアジャスタ２５が介在されている。このため、雄ねじ２６で外面部材３０がコンセント本体１４に連結されるときには、アジャスタ２５が外面部材３０とコンセント本体１４に密着している。従って、雄ねじ２６による締付け力が外面部材３０に過剰に働くことを避けることができ、例えば水栓取付壁１１が厚く、コンセント本体１４と外面部材３０との間に隙間が生じる場合であっても、外面部材３０の傷付きを抑えることができる。
【００３６】
よって、本実施形態の給水用コンセント１０によれば、外面部材３０を雄ねじ２６によりコンセント本体１４に強く締付けた場合でも外面部材３０の損傷を抑制することができるという優れた効果を奏する。
【００３７】
（２）前記アジャスタ２５は、水栓取付壁１１の開口部１２に挿入されている。このため、アジャスタ２５の構造を開口部１２に合わせて簡易に構成できるとともに、その位置決めを容易に行うことができる。
【００３８】
（３）前記ねじ部材は雄ねじ２６であり、コンセント本体１４には前記雄ねじ２６が螺合される雌ねじ１７が形成されるとともに、外面部材３０には雄ねじ２６が貫通される貫通孔３１が形成され、アジャスタ２５には雄ねじ２６が挿通される挿通孔２７が形成されている。従って、雄ねじ２６を外面部材３０の貫通孔３１からアジャスタ２５の挿通孔２７を通ってコンセント本体１４の雌ねじ１７に螺合することにより、外面部材３０を、アジャスタ２５を介してコンセント本体１４に容易に連結させることができる。
【００３９】
（４）前記アジャスタ２５には挿通孔２７を形成する接続筒部２８が設けられ、外面部材３０には貫通孔３１を形成する外面側筒部３２が設けられるとともに、コンセント本体１４には雌ねじ１７を形成する支持筒部１８が設けられている。このため、外面部材３０が雄ねじ２６によりアジャスタ２５を介してコンセント本体１４に締付けられたとき、外面部材３０の外面側筒部３２を、アジャスタ２５の接続筒部２８を介してコンセント本体１４の支持筒部１８に密着させることができ、外面部材３０に過大な負荷を及ぼすことなく、雄ねじ２６を安定した状態で締付けることができる。
【００４０】
（５）前記コンセント本体１４は外面側が開口するボックス状に形成され、その底壁１４ａには水栓継手２３から滲み出す水を受ける漏水案内溝２４を設け、アジャスタ２５には漏水案内溝２４に連通し、水を外面側に案内する延長案内溝２９が設けられている。そのため、水栓継手２３から水漏れが発生したとき、その水をコンセント本体１４の漏水案内溝２４からアジャスタ２５の延長案内溝２９を経て外面側に案内することができ、漏水検出を的確に行うことができる。
【００４１】
（６）前記コンセント本体１４の漏水案内溝２４とアジャスタ２５の延長案内溝２９との接続部分が接着剤によりシール構造になっている。このため、漏水案内溝２４と延長案内溝２９との接続部分から水が漏れることを抑制することができ、漏水検出を一層的確に行うことができる。
【００４２】
（７）前記漏水案内溝２４及び延長案内溝２９は、外面側ほど低くなる傾斜状に形成されている。そのため、水栓継手２３から漏れ出した水を外面側へ速やかに導くことができ、漏水検出を迅速に行うことができる。
【００４３】
なお、前記実施形態を、次のように変更して具体化することも可能である。
・図９（ａ）,（ｂ）に示すように、アジャスタ２５の延長案内溝２９を前記実施形態よりも長くなるように形成するとともに、その内面側の端部を円弧部４７とし、該円弧部４７がコンセント本体１４の筒部２２の外周に係合するように構成してもよい。この場合には、水栓継手２３からの漏水を直接延長案内溝２９に導くことができ、コンセント本体１４の漏水案内溝２４を省略することができる。
【００４４】
・前記コンセント本体１４の漏水案内溝２４とアジャスタ２５の延長案内溝２９の接続部分を、凹凸係合構造にしたり、嵌合構造にしたりして、シール構造を形成してもよい。
【００４５】
・前記コンセント本体１４の漏水案内溝２４とアジャスタ２５の延長案内溝２９の接続部分において、漏水案内溝２４と延長案内溝２９に跨るようにシールテープを貼り付け、シール構造を形成してもよい。
【００４６】
・前記コンセント本体１４の雌ねじ１７を省略して単に真っ直ぐに延びる小さな孔とし、その孔に雄ねじ２６がねじ込まれるように構成してもよい。
【００４７】
[その他の技術思想]
次に、上記実施形態から把握できる技術的思想について記載する。
（イ）請求項１に記載の給水用コンセントにおいて、前記ねじ部材は雄ねじであり、コンセント本体には前記雄ねじが螺合される雌ねじが形成されるとともに、外面部材には雄ねじが貫通される貫通孔が形成され、アジャスタには雄ねじが挿通される挿通孔が形成され、雄ねじが外面部材の貫通孔からアジャスタの挿通孔を通ってコンセント本体の雌ねじに螺合され、外面部材がアジャスタを介してコンセント本体に連結されるように構成されていることを特徴とする給水用コンセント。
【００４８】
（ロ）前記（イ）に記載の給水用コンセントにおいて、前記アジャスタには挿通孔を形成する接続筒部が設けられ、外面部材には貫通孔を形成する外面側筒部が設けられるとともに、コンセント本体には雌ねじを形成する支持筒部が設けられ、外面部材が雄ねじによりアジャスタを介してコンセント本体に締付けられたとき、外面部材の外面側筒部がアジャスタの接続筒部を介してコンセント本体の支持筒部に密着するように構成されていることを特徴とする給水用コンセント。
【００４９】
（ハ）請求項１、前記（イ）、及び前記（ロ）のうちのいずれか一つに記載の給水用コンセントにおいて、前記コンセント本体は外面側が開口するボックス状に形成され、その底壁には水栓継手から滲み出す水を受ける漏水案内溝を設け、アジャスタの底壁部には漏水案内溝に連通し、水を外面側に案内する延長案内溝を設けたことを特徴とする給水用コンセント。
【００５０】
（二）前記（ハ）に記載の給水用コンセントにおいて、前記コンセント本体の漏水案内溝とアジャスタの延長案内溝との接続部分をシール構造としたことを特徴とする給水用コンセント。
【００５１】
（ホ）前記（ハ）又は前記（二）に記載の給水用コンセントにおいて、前記漏水案内溝及び延長案内溝は、外面側ほど低くなる傾斜状に形成されていることを特徴とする給水用コンセント。
【符号の説明】
【００５２】
１０…給水用コンセント、１１…水栓取付壁、１２…開口部、１４…コンセント本体、１４ａ…底壁、１７…雌ねじ、１８…支持筒部、２３…水栓継手、２４…漏水案内溝、２５…アジャスタ、２５ａ…底壁部、２６…ねじ部材としての雄ねじ、２７…挿通孔、２８…接続筒部、２９…延長案内溝、３０…外面部材、３１…貫通孔、３２…外面側筒部。
【図１】
2018040247.tif 000003
【図２】
2018040247.tif 000004
【図３】
2018040247.tif 000005
【図４】
2018040247.tif 000006
【図５】
2018040247.tif 000007
【図６】
2018040247.tif 000008
【図７】
2018040247.tif 000009
【図８】
2018040247.tif 000010
【図９】
2018040247.tif 000011